(57)【要約】【解決手段】著作権収入の生成を強化する方法とシステムを開示する。この方法は、著作権付きメディアレコーディングを受信するステップと、著作権付きメディアレコーディングのシミュレーションを生成することにより、著作権が付与された著作者の独立著作物を生成するステップと、前記著作権付きメディアレコーディングの代わりに前記シミュレーションを利用するステップとを含み、前記著作権付きメディアレコーディングの利用に著作権料が要求されるのに対して、前記著作者の独立著作物の利用にはその著作物についての著作権料を受ける権利が付与される。【選択図】図１
2012510114.tif 000002
【特許請求の範囲】
【請求項１】
著作権収入の生成を強化する方法であって、
著作権付きメディアレコーディングを受信するステップと、
著作権付きメディアレコーディングのシミュレーションを生成することにより、著作権が付与された著作者の独立著作物を生成するステップと、
前記著作権付きメディアレコーディングの代わりに前記シミュレーションを利用するステップとを含み、
前記著作権付きメディアレコーディングの利用に著作権料が要求されるのに対して、前記著作者の独立著作物の利用にはその著作物についての著作権料を受ける権利が付与されることを特徴とする方法。
【請求項２】
シミュレーションを生成することにより、著作者の独立著作物を生成するステップは、前記著作権付きメディアレコーディングの心理音響的シミュレーションを生成することにより、前記著作者の独立著作物を生成するステップをさらに含むことを特徴とする請求項１の方法。
【請求項３】
前記心理音響的シミュレーションは、
前記著作権付きメディアレコーディングから１以上の音の数学的モデルを生成するステップと、
前記１以上の音の数学的モデルに関連したユーザの芸術的な意思決定ガイダンスを用いて、前記著作権付きメディアレコーディングの前記心理音響的シミュレーションを生成するステップとを含むことを特徴とする請求項２の方法。
【請求項４】
前記著作権付きメディアレコーディングの前記心理音響的シミュレーションは、前記著作権付きメディアレコーディングの元の音を再配置し、リミックスし、あるいはシーケンスまたは品質の改変したものを利用していないことを特徴とする請求項３の方法。
【請求項５】
いったん前記著作者の独立著作物のユーザが前記著作者の独立著作物を受信する権限を与えられたなら、前記ユーザに独立したメッセージを提供する付加的メディアデータを用いて前記著作者の独立著作物を不明確化することを特徴とする請求項３の方法。
【請求項６】
前記著作者の独立著作物を不明確化するステップは、著作権料を請求する権利が付与された第２の著作者の独立著作物を生成することを特徴とする請求項３の方法。
【請求項７】
ユーザが前記著作者の独立著作物を要求するとき、前記著作者の不明確化された独立著作物を送信するステップをさらに含むことを特徴とする請求項３の方法。
【請求項８】
前記著作者の独立著作物の著作権の所有者の権限なしには、前記著作者の独立著作物を完全には知覚できないように前記著作者の独立著作物を不明確化するステップをさらに含むことを特徴とする請求項１の方法。
【請求項９】
前記著作者の独立著作物にデータを埋め込むことにより、前記著作者の独立著作物を不明確化するステップをさらに含むことを特徴とする請求項８の方法。
【請求項１０】
前記著作者の独立著作物に複数レイヤのデータを添付することにより、前記著作者の独立著作物を不明確化するステップをさらに含むことを特徴とする請求項８の方法。
【請求項１１】
前記著作者の独立著作物にユニークな無調の不協和音を添付することにより、前記著作者の独立著作物を不明確化するステップをさらに含むことを特徴とする請求項８の方法。
【請求項１２】
前記著作者の独立著作物を生成するステップは、前記著作権付きメディアレコーディングとは異なるメディアを生成することを特徴とする請求項１の方法。
【請求項１３】
前記著作者の独立著作物から、さもなければ前記著作権付きメディアレコーディングの著作権の所有者が受け取っていたはずの著作権料を受け取るステップをさらに含むことを特徴とする請求項１の方法。
【請求項１４】
前記著作者の独立著作物について著作権登録を取得するステップをさらに含むことを特徴とする請求項１の方法。
【請求項１５】
著作権付きメディアレコーディングを強化するシステムであって、
著作権付きメディアレコーディングを受信するように構成された受信器と、
著作権付きメディアレコーディングを分析し、前記著作権付きメディアレコーディングの分析にもとづいて著作者の独立著作物を生成するように構成されたシミュレータとを含み、
前記著作権付きのメディアレコーディングの使用に著作権料が要求されるのに対して、前記著作者の独立著作物は著作権が付与され、前記著作者の独立著作物の使用には著作権料を請求する権利が付与されることを特徴とするシステム。
【請求項１６】
前記著作者の独立著作物の著作権の所有者の権限なしには、前記著作者の独立著作物を完全には知覚できないように前記著作者の独立著作物を不明確化して、著作者の不明確化された独立著作物を生成するように構成されたメディア操作器をさらに含むことを特徴とする請求項１５のシステム。
【請求項１７】
前記メディア操作器は、いったん前記著作者の独立著作物のユーザが前記著作者の独立著作物を受信する権限を与えられたなら、前記ユーザに独立したメッセージを提供するように構成された付加的メディアデータ生成器をさらに含むことを特徴とする請求項１６のシステム。
【請求項１８】
前記メディア操作器は、前記著作者の独立著作物にデータを埋め込むことにより、前記著作者の独立著作物を不明確化することを特徴とする請求項１６のシステム。
【請求項１９】
前記メディア操作器は、前記著作者の独立著作物に複数レイヤのデータを添付することにより、前記著作者の独立著作物を不明確化することを特徴とする請求項１６のシステム。
【請求項２０】
前記メディア操作器は、前記著作者の独立著作物にユニークな無調の不協和音を添付することにより、前記著作者の独立著作物を不明確化することを特徴とする請求項１６のシステム。
【請求項２１】
前記著作者の不明確化された独立著作物にも著作権料を請求する権利が与えられることを特徴とする請求項１６のシステム。
【請求項２２】
前記システムは、前記著作者の独立著作物を要求するユーザに前記著作者の不明確化された独立著作物を送信することを特徴とする請求項１６のシステム。
【請求項２３】
前記シミュレータは、前記著作権付きメディアレコーディングを心理音響的に分析し、前記著作権付きメディアレコーディングの心理音響的シミュレーションを生成することにより、著作者の独立著作物を生成するように構成された心理音響シミュレータをさらに含むことを特徴とする請求項１５のシステム。
【請求項２４】
前記心理音響的シミュレータは、
前記著作権付きメディアレコーディングから１以上の音の数学的モデルを生成するように構成された数学的モデリングモジュールと、
前記著作権付きメディアレコーディングの前記心理音響的シミュレーションを生成するための、前記１以上の音の数学的モデルと連動したユーザの芸術的な意思決定ガイダンスとを含む請求項１５のシステム。
【請求項２５】
前記著作権付きメディアレコーディングの前記心理音響的シミュレーションは、前記著作権付きメディアレコーディングの元の音を再配置し、リミックスし、あるいはシーケンスまたは品質の改変したものを利用していないことを特徴とする請求項１５のシステム。
【請求項２６】
メディア生成システムであって、
第１メディアの録音を受信するように構成された受信器と、
前記第１メディアの録音から前記第１メディアの録音の音の数学的モデリングを生成するために提供される心理音響的シミュレータとを含み、
前記音の数学的モデリングは、前記第１メディアの録音の元の音とは異なる音を含み、
前記音の数学的なモデリングは、前記音の数学的なモデリングを再生すると、ユーザが元の音を聞いているとユーザの脳をだまして信じ込ませるものであることを特徴とするシステム。
【請求項２７】
前記心理音響的シミュレータは、前記第１メディアの録音の元の音のデジタル演奏から前記音の数学的モデリングを生成するために提供されることを特徴とする請求項２６のシステム。
【請求項２８】
前記心理音響的シミュレータは、前記音の数学的なモデリングを再生すると、ユーザが前記第１メディアの録音の元の音の演奏を聞いているとユーザの脳をだまして信じ込ませるように前記音の数学的なモデリングを生成するために提供されることを特徴とする請求項２６または２７のシステム。
【請求項２９】
前記心理音響的シミュレータは、オペレータが前記音の数学的なモデリングを修正することを可能にするオペレータインタフェースを含むことを特徴とする請求項２６から２８のいずれかのシステム。
【請求項３０】
修正された前記音の数学的なモデリングを前記オペレータに対して再生する手段をさらに含むことを特徴とする請求項２９のシステム。
【請求項３１】
前記音の数学的なモデリングを不明確化して、不明確化された音の数学的なモデリングを生成するように構成されたメディア操作器をさらに含むことを特徴とする請求項２６から３０のいずれかのシステム。
【請求項３２】
前記メディア操作器は、前記音の数学的なモデリングにユニークな無調の不協和音を添付することにより、前記音の数学的なモデリングを不明確化することを特徴とする請求項３１のシステム。
【発明の詳細な説明】
【技術分野】
【０００１】
本技術の実施の形態は、一般に著作権料の分野に関する。
【背景技術】
【０００２】
インターネット上でメディアをダウンロードすることがよく行われている。エンドユーザはしばしば自分の好みの歌をダウンロードし、都合のよいときにダウンロードした歌を繰り返し聴く。
【発明の概要】
【発明が解決しようとする課題】
【０００３】
エンドユーザに伝送されるメディアは合衆国法典(United States Code)タイトル１７のもとで著作権保護されていることが多い。もしダウンロードしたメディアが著作権保護されているなら、そのメディアを合法に伝送してダウンロードするには著作権料が要求される。したがって、メディアの大きなデータベースを提供するメディアプロバイダは、大量の著作権付きメディアを伝送し、たくさんの著作権料を支払うことが求められる。
【課題を解決するための手段】
【０００４】
著作権収入の生成を強化する方法とシステムを開示する。この方法は、著作権付きメディアレコーディングを受信するステップと、著作権付きメディアレコーディングのシミュレーションを生成することにより、著作権が付与された著作者の独立著作物を生成するステップと、前記著作権付きメディアレコーディングの代わりに前記シミュレーションを利用するステップとを含み、前記著作権付きメディアレコーディングの利用に著作権料が要求されるのに対して、前記著作者の独立著作物の利用にはその著作物についての著作権料を受ける権利が付与される。
【図面の簡単な説明】
【０００５】
【図１】図１は、本発明の実施の形態に係る著作権収入の生成を強化するシステムの例を説明する。
【０００６】
【図２】図２は、本発明の実施の形態に係る著作権収入の生成を強化する方法のフローチャートの例を説明する。
【０００７】
【図３】図３は、本発明の実施の形態に係るコンピュータシステムの例を説明する。
【０００８】
この詳細な説明において参照される図面は、特に明記する場合を除いて、縮尺通りに描かれたものではないことを理解すべきである。
【発明を実施するための形態】
【０００９】
本技術の実施の形態に対して詳細に述べ、その実施例を添付の図面に図示する。本技術は様々な実施の形態に関連づけて説明されるが、本技術をこれらの実施の形態に限定する意図ではない。そうではなく、むしろ、本技術は、添付の請求項に規定されるように、様々な実施の形態の趣旨と範囲に含まれる変形、修正および等価物を含むことを意図している。
【００１０】
さらに、以下の実施の形態の記載において、多くの特定の詳細は、本技術の完全な理解を提供するために説明したものである。しかしながら、本技術は、これらの特定の詳細なしで実施してもよい。他の例では、本実施の形態の態様が不必要なまでに不明確にならないように、周知の方法、手続き、コンポーネント、および回路は詳細には述べていない。
【００１１】
合衆国法典タイトル１７の１１４条のもとで、録音における著作権の所有者は、録音に対して排他的権利を有する。たとえば、著作権の所有者は、録音に固定された実際の音を直接的または間接的にキャプチャし直す形態にて音の録音を複製する権利に限定される。また、著作権の所有者は、録音に固定された実際の音を再配置したり、リミックスしたり、あるいはシーケンスまたは品質を改変したりした派生的な著作物を準備する権利に限定される。
【００１２】
しかしながら、録音における権利にはある制限が存在する。特に、録音における著作権の所有者の排他的権利は、全体として他の音の独立した固定化から構成される別の録音を作成したり、複製することには拡張されない。たとえそのような音が著作権付きの録音の音を模倣したり、シミュレートしたとしてもそうである。言い換えれば、著作権法は、模倣されたり、シミュレートされた音が独立して生成されたものである限り、誰かが著作権付きの録音の模倣やシミュレーションを生成することを許している。著作権法はまた、著作権付きの著作物の利用に対して著作権の所有者に複数の著作権料が支払われることを要求する。
【００１３】
上述のように、録音（これに限定するものではないが）のようなメディアの大規模データベースを提供するメディアプロバイダは、大量の著作権付きのメディアを伝送し、多くの使用料の支払いを要求される。本発明の実施の形態は、図１に示すような著作権収入の生成を強化するためのシステム１００を提供する。システム１００は、著作権付きのメディアレコーディング１４０を受け取るように構成された受信器１１０を含む。シミュレータ１２０は、著作権付きのメディアレコーディング１４０を分析し、著作権付きのメディアレコーディングの分析にもとづいて著作者の独立した著作物１５０を生成する。著作権付きのメディアレコーディングの使用に著作権料が要求されるのに対して、著作者の独立著作物は著作権が付与され、著作者の独立著作物の使用には著作権料を請求する権利が付与される。システム１００の全部または一部は、たとえば、これに限定するものではないが図３のコンピュータシステムのようなコンピュータシステムのコンピュータ利用可能なメディアに記録されたコンピュータ読み取り可能でコンピュータ実行可能な命令として実装されてもよい。ある実施の形態では、システムは、たとえば、図３のシステム３００のようなコンピュータシステムにおいて実行される。
【００１４】
システム１００の受信器１１０が著作権付きメディアレコーディング１４０を受信するのに先立って、著作権付きメディアレコーディングを取得するために十分な権利を得ておく。ある実施の形態では、十分な権利とは、メディアレコーディングを受信してもよいという著作権付きメディアの著作権の所有者からの許諾であってもよい。別の実施の形態では、十分な権利は、ワンタイムの機械的なライセンスによって得られるものであってもよい。機械的なライセンスは、たとえば、これに限定するものではないが、著作権付きメディアレコーディング１４０のコピーを作るといった限られた権利を許容するものである。ある実施の形態では、著作権付きメディアレコーディングのコピーは、ＷＡＶファイルの形式のようなバイナリフォーマットである。
【００１５】
シミュレータ１２０は、著作者の独立著作物１５０を生成する。著作権付きメディアレコーディングから独立して生成されるのは全体的に新しい著作物であることから、独立著作物にはそれ自身の著作権保護が付与される。ある実施の形態では、シミュレータ１２０は、著作権付きメディアレコーディング１４０を心理音響的に分析し、著作権付きメディアレコーディングの心理音響的シミュレーションを生成することにより、著作者の独立著作物１５０を生成するように構成された心理音響シミュレータである。当然のことながら、著作者の独立著作物は、いったん生成されると、著作権保護を与えられる。もっとも、著作者の独立著作物について著作権登録を取得すれば、その独立著作物に対して付加的な著作権保護が提供される。
【００１６】
一般的に、心理音響学を用いると、数学的なモデリングを生成することにより、人間の脳には元の音を聴いているように信じ込ませるが、実際はそれとはまるで違う別の音を聴いているようにすることができる。ある実施の形態では、心理音響シミュレータは、著作権付きメディアレコーディングのデジタル演奏を読み出し、元の音を数学的にモデリングすることにより、著作者の独立著作物１５０を生成する。当然のことながら、心理音響シミュレータはどんな心理音響的モデリングも実行できる。心理音響シミュレータは、著作権付きメディアレコーディング１４０のどの部分もコピー、キャプチャ、編集および／またはサンプリングしていないことに留意することが重要である。「サンプリング」という用語は、著作権法の文脈で定義される。一般に、著作権法のもとでは、サンプリングは、著作権付き著作物における実際の音を使用して修正することである。たとえば、サンプリングは、音のシーケンスの順序を反対にしたり、音のシーケンスを再生することである。
【００１７】
ある実施の形態では、受信器１１０とシミュレータ１２０が分散していてもよい。別の実施の形態では、受信器１１０とシミュレータ１２０が統合されていてもよい。当然のことながら、セキュリティの目的のためには、受信器１１０とシミュレータ１２０の間にファイアウォールを実装することで、シミュレータの出力が、著作権付きメディアレコーディング１４０の単なる機械的な演奏とは対照的に、全体として新しく独立した芸術的な表現としての著作者の独立著作物１５０であることを保証するようにしてもよい。
【００１８】
システム１００は、著作者の独立著作物の著作権の所有者の権限なしには、著作者の独立著作物を完全には知覚できないように、著作者の独立著作物１５０を不明確化し、著作者の不明確化された独立著作物１６０を生成するように構成されたメディア操作器１３０を含んでもよい。ある実施の形態では、メディア操作器１３０は、著作者の独立著作物にデータを埋め込むことによって、著作者の独立著作物を不明確化する。別の実施の形態では、メディア操作器は著作者の独立著作物に複数レイヤのデータを添付する。さらに別の実施の形態では、メディア操作器は、違法コピーをやめさせるために、著作者の独立著作物にユニークな無調の不協和音を添付する。必要とされる権限と同意なしには、著作者の不明確化された独立著作物は再生しても不協和音を生成するだけである。当然のことながら、著作者の独立著作物には任意の暗号アルゴリズムを添付することができる。また、当然のことながら、著作者の不明確化された独立著作物は、いったん生成されると著作権保護を与えられる。もっとも、著作者の不明確化された独立著作物について著作権登録を取得すれば、その不明確化された独立著作物に対して付加的な著作権保護が提供される。
【００１９】
メディア操作器１３０は、いったん著作者の独立著作物１５０のユーザが著作者の独立著作物を受信する権限を与えられたなら、そのユーザに独立したメッセージを提供するように構成された付加的メディアデータ生成器１３５を含んでもよい。ある実施の形態では、ユーザに提供する独立したメッセージはビデオである。別の実施の形態では、その独立したメッセージは広告である。
【００２０】
システム１００は著作者の独立著作物１５０および／または著作者の不明確化された独立著作物１６０を出力する。著作者の独立著作物１５０および著作者の不明確化された独立著作物は、著作権付きメディアレコーディングに含まれる音をシミュレートまたは模倣する新しい別異の音であることから、それぞれの著作権保護を与えられる。著作者の独立著作物１５０は、人間の耳には、著作権付きメディアレコーディング１４０の完全に近いシミュレーションに聞こえる。しかしながら、著作者の独立著作物１５０は、機械的な手段によってデータを単に別のファイルタイプに圧縮するか再フォーマットすることを可能にする再フォーマットプログラムから生成されたものではない。著作者の独立著作物１５０には、著作権付きメディアレコーディングから持ち越されたものは何一つ含まれない。著作権付きメディアレコーディング１４０の音は、何らかの方法で編集したり、フィルタしたり、強調したり、改変したりしたものではない。
【００２１】
さらに、著作者の独立著作物１５０は、著作権付きメディアレコーディングにおいて固定された音を直接的または間接的に再度キャプチャすることによって、著作権付きメディアレコーディング１４０の音を複製することによって生成されたものでもない。著作者の独立著作物１５０は、著作権付きメディアレコーディング１４０において固定された実際の音を再配置したり、リミックスしたり、あるいはシーケンスまたは品質を改変したりした派生的な著作物でもない。ある実施の形態では、著作者の独立著作物１５０は、著作権付きメディアレコーディング１４０のライブ演奏が、その演奏の間、現場にいる聞き手にどのように聞こえるかを芸術的に意思決定することにもとづいたシミュレーションである。したがって、著作者の独立著作物１５０および著作者の不明確化された独立著作物１６０は、後述するように、著作権料を請求する権利が付与される。さらに、著作者の独立著作物１５０および著作者の不明確化された独立著作物１６０は使用料の生成だけでなく、著作権保護に対する登録にも関係する。
【００２２】
システム１００は、リクエスト元のユーザに著作者の独立著作物１５０を配布する。ある実施の形態では、システム１００は、著作者の独立著作物１５０をリクエストするユーザに著作者の不明確化された独立著作物１６０を配布する。もしユーザが必要とされる権限と同意をもっていないなら、ユーザは、著作者の不明確化された独立著作物１６０を再生しても視聴できない。しかし、ユーザが必要とされる権限と同意をもっているなら、ユーザは、著作者の不明確化された独立著作物１６０を再生すると視聴できる。
【００２３】
図２は、著作権料生成を強化する方法２００を説明するフローチャートである。方法２００において特定の動作が開示されているが、そのようなステップは例示である。すなわち、本発明の実施の形態は、他の様々な動作や方法２００に記載された動作の変形を実行するのに好適である。方法２００の動作は、提示したものとは異なる順序で実行されてもよく、方法２００の動作のすべてを実行しなくてもよい。方法２００によって記載される動作の全部または一部は、たとえば、これに限定するものではないが図３のコンピュータシステムのようなコンピュータシステムのコンピュータ利用可能なメディアに記録されたコンピュータ読み取り可能でコンピュータ実行可能な命令を用いて実装されてもよい。ある実施の形態では、プロセス２００は、たとえば、図３のシステム３００のようなコンピュータシステムにおいて実行される。別の実施の形態では、プロセス２００は、たとえば、図１のシステム１００のようなシステムにおいて実行される。当然のことながら、簡潔で明確にするために、様々な動作を以下の議論からは省いている。方法２００の目標は、著作権料生成を強化することである。
【００２４】
図２のブロック２１０において、著作権付きメディアレコーディングを受信する。ブロック２２０において、著作権付きメディアレコーディングのシミュレーションを生成することにより、著作者の独立著作物が生成され、その著作者の独立著作物には著作権が付与される。ブロック２３０において、著作権付きメディアレコーディングの代わりにシミュレーションを利用する。著作権付きメディアレコーディングの利用に著作権料が要求されるのに対して、著作者の独立著作物の利用にはその著作物についての著作権料を受け取る権利が付与される。
【００２５】
ある実施の形態では、シミュレーションを生成することによる著作者の独立著作物の創造には、著作権付きメディアレコーディングの心理音響的シミュレーションを生成することによる著作者の独立著作物の創造を含む。別の実施の形態では、著作者の独立著作物の著作権の所有者の権限なしには、著作者の独立著作物が完全には知覚できないように、著作者の独立著作物は不明確化される。さらに別の実施の形態では、いったんユーザが著作者の独立著作物を受信する権限を与えられたなら、著作者の独立著作物のユーザに独立したメッセージを提供する付加的なメディアデータとともに著作者の独立著作物を不明確化する。著作者の独立著作物は著作権保護および関連する著作権料を受ける権利を与えられる。したがって、著作者の不明確化された独立著作物は、著作者の第２の独立著作物を形成し、それもまた著作権保護および著作権料を受ける権利を与えられる。別の実施の形態では、方法２００は、ユーザが著作者の独立著作物の違法コピーを防ぐことを要求するときに、著作者の不明確化された独立著作物を伝送する。
【００２６】
ある実施の形態では、著作者の独立著作物に関して著作権登録を取得して著作権料を受ける権利が付与される。別の実施の形態では、著作者の不明確化された独立著作物に関して著作権登録を取得して著作権料を受ける権利が付与される。
【００２７】
ある実施の形態では、著作者の独立著作物の生成は、著作権付きメディアレコーディングとは異なるメディアを生成する。ある実施の形態では、著作権付きメディアレコーディングは、録音であり、著作者の独立著作物はオーディオビジュアルメディアである。したがって、オーディオビジュアルメディアは著作権保護および著作権料を受ける権利を与えられるであろう。別の実施の形態では、生成されたオーディオビジュアル著作物は派生的な著作物である。オーディオビジュアル著作物はこれに限定しないが再フォーマット化によって派生する。たとえば、派生した著作物は、著作権付きメディアレコーディングのサンプルされたバージョンである。著作権付きメディアレコーディングは、これに限定しないがフィルタのような機械的な手段を用いて何らかの形で修正される。前述の派生的な著作物を合法に作成するには、著作権付きメディアレコーディングの著作権所有者による明示の同意が必要である。
【００２８】
ある実施の形態では、方法２００は、著作者の独立著作物の著作権所有者が、著作者の独立著作物から著作権料を受け取る方法を提供する。この著作権料は、さもなければ、著作権付きメディアレコーディングの著作権所有者が受け取ったはずのものである。一般に、著作権付き録音がユーザに伝送される場合、著作権付き録音を伝送する主体は、伝送された録音に対して著作権料を支払うことが要求される。付与される著作権料は、これに限定しないが、演奏料および出版料であってもよい。一般に、演奏料は録音の演奏者に支払われる。出版料は歌の歌詞の作詞家に支払われる。したがって、上述のように、ある主体が著作者の独立著作物を伝送し、その主体が著作者の独立著作物の著作権を所有しているなら、その主体は演奏料を支払うことを要求されない。この演奏料は、さもなければ、著作権付きメディアレコーディングの著作権所有者に支払われていたはずのものである。しかしながら、その著作者の独立著作物の著作権所有者は、その録音物に対して歌詞を書いた録音物の作詞家に出版料を支払うことが要求される。したがって、著作者の独立著作物を伝送する主体は著作権料（たとえば演奏料）が与えられるから、著作権収入の生成が強化される。この著作権料は、さもなければ、著作権付きメディアレコーディングの著作権所有者に支払われていたはずのものである。さらに、著作者の独立著作物および著作者の不明確化された独立著作物は、使用料の生成だけでなく、著作権保護に対する登録にも関係する。
【００２９】
現在、たとえば、カリフォルニア州クパチーノにあるアップル社は、著作権付き楽曲をオンラインデジタルメディアストアであるｉＴｕｎｅｓストアで購入し、デジタルメディアプレイヤアプリケーションであるｉＴｕｎｅｓ上で再生できるようにしている。アップル社はｉＴｕｎｅｓストアで購入してダウンロードするために提供されている楽曲への十分な権利を最初に取得している。エンドユーザが楽曲を購入しダウンロードする際、アップル社は、伝送される著作権付き楽曲について、これに限定しないが演奏料と出版料のような著作権料を支払うことが要求される。アップル社が１つの楽曲をエンドユーザに１ドルで売ると、アップル社は、おおよそ０．７０ドルの演奏料と数セントの出版料を支払うことが現在要求されている。しかしながら、もしｉＴｕｎｅｓストアのようなオンラインデジタルストアが著作者の独立著作物を生成し、著作者の独立著作物に対する著作権を保持しているなら、アップル社は著作権付き楽曲の演奏料（たとえば０．７０ドル）を支払うことは要求されないが、演奏料を課金してアップル社の著作権収入の生成を強化することができよう。それにもかかわらず、アップル社は、上述のように、著作権付きメディアレコーディングから著作者の独立著作物を生成しているのではなく、現在は、エンドユーザに伝送される各楽曲に対して少なくとも演奏料と出版料を支払うことが要求されている。
【００３０】
［コンピュータシステム環境の例］
図３を参照して、コミュニケーションを提供する技術の一部は、たとえばコンピュータシステムのコンピュータ利用可能なメディアに記録されたコンピュータ読み取り可能でコンピュータ実行可能な命令を含む。すなわち、図３は、現在の技術の実施の形態を実装するために使うことのできる、あるタイプのコンピュータの一例を説明する。
【００３１】
図３は、本技術の実施の形態にしたがって使われる例示的なコンピュータシステム３００を説明する。当然のことながら、図３のシステム３００は例に過ぎず、本技術は、汎用ネットワークコンピュータシステム、組み込みコンピュータシステム、ルータ、スイッチ、サーバデバイス、ユーザデバイス、様々な中間デバイス／アーチファクト、スタンドアロンコンピュータシステム、携帯電話、携帯情報端末などを含む多くの異なるコンピュータシステム上でまたはその中で実行することができる。図３に示すように、図３のコンピュータシステム３００は、たとえば、フロッピィディスク、ＣＤ（compact disc）、およびそれに類するもののような周辺コンピュータ読み取り可能メディア３０２をもつように構成される。
【００３２】
本技術の実施の形態は、様々なポータブル電子デバイスにおいて利用するのに好適であることに留意する。本アプリケーションの目的のために、「ポータブル電子デバイス」という用語は、従来のハンドヘルドまたはポータブルコンピュータだけに限定する意図はない。その代わり、「ポータブル電子デバイス」という用語は、多くの携帯電子デバイスも含むことを意図する。そのような携帯デバイスには、これらに限定するものではないが、ポータブルＣＤプレイヤ、ＭＰ３プレイヤ、携帯電話、ポータブルレコーディングデバイス、および他のパーソナルデジタルデバイスが含まれる。
【００３３】
図３のシステム３００は、情報を伝達するためのアドレス／データバス３０４と、バス３０４に連結した、情報と命令を処理するためのプロセッサ３０６Ａとを含む。図３に示すように、システム３００は、複数のプロセッサ３０６Ａ、３０６Ｂおよび３０６Ｃが存在するマルチプロセッサ環境にも適している。反対に、システム３００は、たとえば、プロセッサ３０６Ａのような単一のプロセッサをもつものにも好適である。プロセッサ３０６Ａ、３０６Ｂおよび３０６Ｃは様々なタイプのマイクロプロセッサであってもよい。システム３００はまた、プロセッサ３０６Ａ、３０６Ｂおよび３０６Ｃに対する情報と命令を格納するためにバス３０４に結合された、ＲＡＭなどコンピュータ利用可能な揮発性メモリ３０８のようなデータストレージの特徴を含む。
【００３４】
システム３００はまた、プロセッサ３０６Ａ、３０６Ｂおよび３０６Ｃに対する静的な情報と命令を格納するためにバス３０４に結合された、ＲＯＭなどコンピュータ利用可能な不揮発性メモリ３１０を含む。また、システム３００には、情報と命令を格納するためにバス３０４に結合されたデータストレージユニット３１２（たとえば、磁気または光ディスクおよびディスクドライブ）が存在する。システム３００はまた、プロセッサ３０６Ａまたはプロセッサ３０６Ａ、３０６Ｂおよび３０６Ｃへ選択された情報とコマンドを通信するために、バス３０４に結合された英数字キーおよびファンクションキーを含むオプショナルな文字数字入力デバイス３１４を含む。システム３００はまた、プロセッサ３０６Ａまたはプロセッサ３０６Ａ、３０６Ｂおよび３０６Ｃへ選択された情報とコマンドを通信するために、バス３０４に結合されたオプショナルなカーソル制御デバイス３１６を含む。本実施の形態のシステム３００はまた、情報を表示するために、バス３０４に結合されたオプションナルな表示デバイス３１８を含む。
【００３５】
さらに図３を参照して、図３のオプションナルなディスプレイデバイス３１８は、ユーザに認識可能なグラフィックイメージおよび英数字キャラクタを生成するのに適した、液晶デバイス、ＣＲＴ（cathode ray tube）、プラズマディスプレイデバイスまたは他のディスプレイデバイスであってもよい。オプショナルなカーソル制御デバイス３１６によって、コンピュータのユーザは、ディスプレイデバイス３１８のディスプレイスクリーン上で可視的なシンボル（カーソル）の動きを動的に信号で伝えることができる。カーソル制御デバイス３１６の多くの実装は、所与の方向の動きや移動の方法を信号で伝える機能をもつ、トラックボール、マウス、タッチパッド、ジョイスティック、または英数字入力デバイス３１４上の特別なキーを含めて当該技術分野において公知である。別の方法として、カーソルは、特別なキーおよびキーシーケンスコマンドを用いて英数字入力デバイス３１４からの入力を介して移動したり、アクティブにすることができる。
【００３６】
システム３００はまた、たとえば、ボイスコマンドのような他の手段によって、カーソルを移動させるのに適している。システム３００はまた、外部エンティティとシステム３００を結合するためにＩ／Ｏデバイス３２０を含む。たとえば、ある実施の形態において、Ｉ／Ｏデバイス３２０は、システム３００と、これに限定しないがインターネットのような外部ネットワークとの間で有線または無線通信を可能にするモデムである。本技術のより詳細な議論は以下に述べる。
【００３７】
さらに図３を参照して、システム３００に対して様々な他のコンポーネントが図示されている。特に、ここでは、オペレーティングシステム３２２、アプリケーション３２４、モジュール３２６、およびデータ３２８は、典型的には、ＲＡＭのようなコンピュータ利用可能な揮発性メモリ３０８およびデータストレージユニット３１２のいずれかまたはその組み合わせに記録されている。しかしながら、当然のことであるが、ある実施の形態では、オペレーティングシステム３２２は、ネットワーク上やフラッシュデバイス上のような他の場所に格納されていてもよい。さらに、遠隔地、たとえば、インターネットにつながった場所からオペレーティングシステム３２２にアクセスしてもよい。ある実施の形態では、本技術は、たとえば、ＲＡＭ３０８内のメモリ位置やデータストレージユニット３１２内のメモリエリアにアプリケーション３２４またはモジュール３２６として格納される。本技術を上述のシステム３００の１以上の要素に適用してもよい。たとえば、デバイス１１５Ａのユーザインタフェース２２５Ａを修正する方法をオペレーティングシステム３２２、アプリケーション３２４、モジュール３２６、および／またはデータ３２８に適用してもよい。
【００３８】
コンピューティングシステム３００は、好適なコンピューティング環境の一例に過ぎず、本技術の利用範囲または機能の範囲に何らかの限定を示唆するものではない。コンピューティング環境３００は、例示的なコンピューティングシステム３００において図示されたコンポーネントの任意の一つまたはその組み合わせに関して、何らかの依存関係または要件をもつものとして解釈されてもならない。
【００３９】
本技術は、コンピュータによって実行されるプログラムモジュールのようなコンピュータ実行可能な命令の一般的なコンテキストで記述されてもよい。一般に、プログラムモジュールには、特定のタスクを実行するか、特定の抽象的なデータタイプを実装するルーティン、プログラム、オブジェクト、コンポーネント、データ構造などが含まれる。本技術は、通信ネットワークを通してリンクされた複数のリモートプロセッシングデバイスによってタスクが実行される分散コンピューティング環境において実行されてもよい。分散コンピューティング環境において、プログラムモジュールは、メモリストレージデバイスを含むローカルおよびリモートコンピュータストレージメディアに置かれてもよい。
【００４０】
短い要約として、ここに記載するものは少なくとも次の広い概念を開示する。
概念１．著作権収入の生成を強化する方法であって、
著作権付きメディアレコーディングを受信するステップと、
著作権付きメディアレコーディングのシミュレーションを生成することにより、著作権が付与された著作者の独立著作物を生成するステップと、
前記著作権付きメディアレコーディングの代わりに前記シミュレーションを利用するステップとを含み、
前記著作権付きメディアレコーディングの利用に著作権料が要求されるのに対して、前記著作者の独立著作物の利用にはその著作物についての著作権料を受ける権利が付与されることを特徴とする方法。
概念２．シミュレーションを生成することにより、著作者の独立著作物を生成するステップは、前記著作権付きメディアレコーディングの心理音響的シミュレーションを生成することにより、前記著作者の独立著作物を生成するステップをさらに含むことを特徴とする概念１の方法。
概念３．前記心理音響的シミュレーションは、
前記著作権付きメディアレコーディングから１以上の音の数学的モデルを生成するステップと、
前記１以上の音の数学的モデルに関連したユーザの芸術的な意思決定ガイダンスを用いて、前記著作権付きメディアレコーディングの前記心理音響的シミュレーションを生成するステップとを含むことを特徴とする概念２の方法。
概念４．前記著作権付きメディアレコーディングの前記心理音響的シミュレーションは、前記著作権付きメディアレコーディングの元の音を再配置し、リミックスし、あるいはシーケンスまたは品質の改変したものを利用していないことを特徴とする概念３の方法。
概念５．いったん前記著作者の独立著作物のユーザが前記著作者の独立著作物を受信する権限を与えられたなら、前記ユーザに独立したメッセージを提供する付加的メディアデータを用いて前記著作者の独立著作物を不明確化することを特徴とする概念３の方法。
概念６．前記著作者の独立著作物を不明確化するステップは、著作権料を請求する権利が付与された第２の著作者の独立著作物を生成することを特徴とする概念３の方法。
概念７．ユーザが前記著作者の独立著作物を要求するとき、前記著作者の不明確化された独立著作物を送信するステップをさらに含むことを特徴とする概念３の方法。
概念８．前記著作者の独立著作物の著作権の所有者の権限なしには、前記著作者の独立著作物を完全には知覚できないように前記著作者の独立著作物を不明確化するステップをさらに含むことを特徴とする概念１の方法。
概念９．前記著作者の独立著作物にデータを埋め込むことにより、前記著作者の独立著作物を不明確化するステップをさらに含むことを特徴とする概念８の方法。
概念１０．前記著作者の独立著作物に複数レイヤのデータを添付することにより、前記著作者の独立著作物を不明確化するステップをさらに含むことを特徴とする概念８の方法。
概念１１．前記著作者の独立著作物にユニークな無調の不協和音を添付することにより、前記著作者の独立著作物を不明確化するステップをさらに含むことを特徴とする概念８の方法。
概念１２．前記著作者の独立著作物を生成するステップは、前記著作権付きメディアレコーディングとは異なるメディアを生成することを特徴とする概念１の方法。
概念１３．前記著作者の独立著作物から、さもなければ前記著作権付きメディアレコーディングの著作権の所有者が受け取っていたはずの著作権料を受け取るステップをさらに含むことを特徴とする概念１の方法。
概念１４．前記著作者の独立著作物について著作権登録を取得するステップをさらに含むことを特徴とする概念１の方法。
概念１５．著作権付きメディアレコーディングを強化するシステムであって、
著作権付きメディアレコーディングを受信するように構成された受信器と、
著作権付きメディアレコーディングを分析し、前記著作権付きメディアレコーディングの分析にもとづいて著作者の独立著作物を生成するように構成されたシミュレータとを含み、
前記著作権付きのメディアレコーディングの使用に著作権料が要求されるのに対して、前記著作者の独立著作物は著作権が付与され、前記著作者の独立著作物の使用には著作権料を請求する権利が付与されることを特徴とするシステム。
概念１６．前記著作者の独立著作物の著作権の所有者の権限なしには、前記著作者の独立著作物を完全には知覚できないように前記著作者の独立著作物を不明確化して、著作者の不明確化された独立著作物を生成するように構成されたメディア操作器をさらに含むことを特徴とする概念１５のシステム。
概念１７．前記メディア操作器は、いったん前記著作者の独立著作物のユーザが前記著作者の独立著作物を受信する権限を与えられたなら、前記ユーザに独立したメッセージを提供するように構成された付加的メディアデータ生成器をさらに含むことを特徴とする概念１６のシステム。
概念１８．前記メディア操作器は、前記著作者の独立著作物にデータを埋め込むことにより、前記著作者の独立著作物を不明確化することを特徴とする概念１６のシステム。
概念１９．前記メディア操作器は、前記著作者の独立著作物に複数レイヤのデータを添付することにより、前記著作者の独立著作物を不明確化することを特徴とする概念１６のシステム。
概念２０．前記メディア操作器は、前記著作者の独立著作物にユニークな無調の不協和音を添付することにより、前記著作者の独立著作物を不明確化することを特徴とする概念１６のシステム。
概念２１．前記著作者の不明確化された独立著作物にも著作権料を請求する権利が与えられることを特徴とする概念１６のシステム。
概念２２．前記システムは、前記著作者の独立著作物を要求するユーザに前記著作者の不明確化された独立著作物を送信することを特徴とする概念１６のシステム。
概念２３．前記シミュレータは、前記著作権付きメディアレコーディングを心理音響的に分析し、前記著作権付きメディアレコーディングの心理音響的シミュレーションを生成することにより、著作者の独立著作物を生成するように構成された心理音響シミュレータをさらに含むことを特徴とする概念１５のシステム。
概念２４．前記心理音響的シミュレータは、
前記著作権付きメディアレコーディングから１以上の音の数学的モデルを生成するように構成された数学的モデリングモジュールと、
前記著作権付きメディアレコーディングの前記心理音響的シミュレーションを生成するための、前記１以上の音の数学的モデルと連動したユーザの芸術的な意思決定ガイダンスとを含む概念１５のシステム。
概念２５．前記著作権付きメディアレコーディングの前記心理音響的シミュレーションは、前記著作権付きメディアレコーディングの元の音を再配置し、リミックスし、あるいはシーケンスまたは品質の改変したものを利用していないことを特徴とする概念１５のシステム。
概念２６．著作権料の生成を強化する方法であって、
著作権付きメディアレコーディングを受信するステップと、
著作権付きメディアレコーディングのシミュレーションを生成することにより、著作権が付与された著作者の独立著作物を生成するステップと、
前記著作権付きメディアレコーディングの代わりに前記シミュレーションを利用するステップとを含み、
前記著作権付きメディアレコーディングの利用に著作権料が要求されるのに対して、前記著作者の独立著作物の利用にはその著作物についての著作権料を受ける権利が付与されることを特徴とする方法。
概念２７．シミュレーションを生成することにより、著作者の独立著作物を生成するステップは、前記著作権付きメディアレコーディングの心理音響的シミュレーションを生成することによって、前記著作者の独立著作物を生成するステップをさらに含むことを特徴とする概念２６の方法。
概念２８．前記著作者の独立著作物の著作権の所有者の権限なしには、前記著作者の独立著作物を完全には知覚できないように、前記著作者の独立著作物を不明確化するステップをさらに含むことを特徴とする概念２６の方法。
概念２９．いったん前記著作者の独立著作物のユーザが前記著作者の独立著作物を受信する権限を与えられたなら、前記ユーザに独立したメッセージを提供する付加的メディアデータを用いて前記著作者の独立著作物は不明確化されることを特徴とする概念２８の方法。
概念３０．前記著作者の独立著作物を不明確化するステップは、著作権料を請求する権利が付与された第２の著作者の独立著作物を生成することを特徴とする概念２８の方法。
概念３１．ユーザが前記著作者の独立著作物を要求するとき、前記著作者の不明確化された独立著作物を送信するステップをさらに含むことを特徴とする概念２８の方法。
概念３２．前記著作者の独立著作物を生成するステップは、前記著作権付きメディアレコーディングとは異なるメディアを生成することを特徴とする概念２６の方法。
概念３３．前記著作者の独立著作物から、さもなければ前記著作権付きメディアレコーディングの著作権の所有者が受け取っていたはずの著作権料を受け取るステップをさらに含むことを特徴とする概念２６の方法。
概念３４．前記著作者の独立著作物について著作権登録を取得するステップをさらに含むことを特徴とする概念２６の方法。
概念３５．著作権付きメディアレコーディングを強化するシステムであって、
著作権付きメディアレコーディングを受信するように構成された受信器と、
著作権付きメディアレコーディングを分析し、前記著作権付きメディアレコーディングの分析にもとづいて著作者の独立著作物を生成するように構成されたシミュレータとを含み、
前記著作権付きのメディアレコーディングの使用に著作権料が要求されるのに対して、前記著作者の独立著作物は著作権が付与され、前記著作者の独立著作物の使用には著作権料を請求する権利が付与されることを特徴とするシステム。
概念３６．前記著作者の独立著作物の著作権の所有者の権限なしには、前記著作者の独立著作物を完全には知覚できないように前記著作者の独立著作物を不明確化して、著作者の不明確化された独立著作物を生成するように構成されたメディア操作器をさらに含むことを特徴とする概念３５のシステム。
概念３７．前記メディア操作器は、いったん前記著作者の独立著作物のユーザが前記著作者の独立著作物を受信する権限を与えられたなら、前記ユーザに独立したメッセージを提供するように構成された付加的メディアデータ生成器をさらに含むことを特徴とする概念３６のシステム。
概念３８．前記著作者の不明確化された独立著作物にも著作権料を請求する権利が与えられることを特徴とする概念３６のシステム。
概念３９．前記システムは、前記著作者の独立著作物を要求するユーザに前記著作者の不明確化された独立著作物を送信することを特徴とする概念３６のシステム。
概念４０．前記シミュレータは、前記著作権付きメディアレコーディングを心理音響的に分析し、前記著作権付きメディアレコーディングの心理音響的シミュレーションを生成することにより、著作者の独立著作物を生成するように構成された心理音響シミュレータをさらに含むことを特徴とする概念３５のシステム。
概念４１．著作権収入の生成を強化する方法であって、
著作権付きメディアレコーディングを受信するステップと、
著作権付きメディアレコーディングの心理音響的シミュレーションを生成することにより、著作権が付与された著作者の独立著作物を生成するステップと、
前記著作権付きメディアレコーディングの代わりに前記心理音響的シミュレーションを利用するステップと、
前記著作者の独立著作物の著作権の所有者の権限なしには、前記著作者の独立著作物を完全には知覚できないように、前記著作者の独立著作物を不明確化するステップとを含み、
前記著作権付きメディアレコーディングの利用に著作権料が要求されるのに対して、前記著作者の独立著作物の利用にはその著作物についての著作権料を受ける権利が付与され、
著作者の不明確化された独立著作物は、著作者の第２の独立著作物を形成し、それもまた著作権保護および著作権料を受ける権利が付与されることを特徴とする方法。
概念４２．メディア生成システムであって、
第１メディアの録音を受信するように構成された受信器と、
前記第１メディアの録音から前記第１メディアの録音の音の数学的モデリングを生成するために提供される心理音響的シミュレータとを含み、
前記音の数学的モデリングは、前記第１メディアの録音の元の音とは異なる音を含み、
前記音の数学的なモデリングは、前記音の数学的なモデリングを再生すると、ユーザが元の音を聞いているとユーザの脳をだまして信じ込ませるものであることを特徴とするシステム。
概念４３．前記心理音響的シミュレータは、前記第１メディアの録音の元の音のデジタル演奏から前記音の数学的モデリングを生成するために提供されることを特徴とする概念４２のシステム。
概念４４．前記心理音響的シミュレータは、前記音の数学的なモデリングを再生すると、ユーザが前記第１メディアの録音の元の音の演奏を聞いているとユーザの脳をだまして信じ込ませるように前記音の数学的なモデリングを生成するために提供されることを特徴とする概念４２または４３のシステム。
概念４５．前記心理音響的シミュレータは、オペレータが前記音の数学的なモデリングを修正することを可能にするオペレータインタフェースを含むことを特徴とする概念４２から４４のいずれかのシステム。
概念４６．修正された前記音の数学的なモデリングを前記オペレータに対して再生する手段をさらに含むことを特徴とする概念４５のシステム。
概念４７．前記音の数学的なモデリングを不明確化して、不明確化された音の数学的なモデリングを生成するように構成されたメディア操作器をさらに含むことを特徴とする概念４２から４６のいずれかのシステム。
概念４８．前記メディア操作器は、前記音の数学的なモデリングにユニークな無調の不協和音を添付することにより、前記音の数学的なモデリングを不明確化することを特徴とする概念４７のシステム。
【００４１】
本主題を構造的な特徴および／または方法論的な動作に特化された言語で記述してきたが、添付の請求項に規定された本主題は必ずしも上述の特定の特徴や動作に限定されるものではないことを理解すべきである。むしろ、上述の特定の特徴や動作は請求項を実施する例示的な形態として開示されている。
【図１】
2012510114.tif 000003
【図２】
2012510114.tif 000004
【図３】
2012510114.tif 000005
【国際調査報告】
2012510114.tif 000006
2012510114.tif 000007